(57)【要約】【課題】包装袋等に弱め線が形成されていても、利用者が充分に気付かない場合がある。【解決手段】包材４の原反を搬送ローラ２０，２２により搬送しながら、その表面にダイカットロール２６の切り込み歯２６ａを押し当て、連続的に弱め線を形成する。このとき、インキパン２８から一次インキローラ３０、二次インキローラ３２を通じて切り込み歯２６ａにインキを転写しておくことで、切り込み歯２６ａを版とした印刷を行うことができる。出来上がった弱め線は色付き弱め線となるので、包装袋の形態にしたとき利用者が色付き弱め線を容易に視認することができる。【選択図】図２
2008018970.tif 000002
【特許請求の範囲】
【請求項１】
使用時に切り裂かれる予定の物品ごとに規定される切り裂き予定線と、
前記切り裂き予定線に沿って形成され、前記物品の基材層を部分的に脆弱化させた弱め線と、
前記弱め線に沿って前記基材層に付着され、前記物品の表面色に対して識別可能に前記弱め線を着色する着色剤と
を備えたことを特徴とする切り裂き補助帯。
【請求項２】
使用時に切り裂かれる予定の物品ごとに規定される切り裂き予定線と、
前記切り裂き予定線に沿って配列され、前記物品の基材層を部分的に脆弱化させた弱め線により構成される図形と、
前記弱め線に沿って前記基材層に付着され、前記物品の表面色に対して識別可能に前記図形を発色させる着色剤と
を備えたことを特徴とする切り裂き補助帯。
【請求項３】
使用時に切り裂かれる予定の物品ごとに規定される切り裂き予定線と、
前記切り裂き予定線に沿って配列され、前記物品の基材層を部分的に脆弱化させた弱め線により構成される特定の意義を有した文字列と、
前記弱め線に沿って前記基材層に付着され、前記物品の表面色に対して識別可能に前記文字列を発色させる着色剤と
を備えたことを特徴とする切り裂き補助帯。
【請求項４】
シート状の物品を一定方向に搬送する搬送工程と、
前記搬送工程を通じて前記物品を搬送しながらその外面に切り込み歯を押し当ててその基材層を部分的に脆弱化させた弱め線を連続的に形成する切り込み工程と、
前記切り込み工程の実行に伴って同時に進行し、前記切り込み歯の表面から前記基材層にインキを付着させることで前記弱め線の位置で前記物品に印刷を行う印刷工程と
から構成される切り裂き補助帯の形成方法。
【請求項５】
シート状の物品を一定方向に搬送する搬送工程と、
前記搬送工程を通じて前記物品を搬送しながらその外面に切り込み歯を押し当ててその基材層を部分的に脆弱化させた弱め線を連続的に形成するとともに、この弱め線の形成に伴い、前記切り込み歯の表面から前記基材層にインキを付着させることで前記弱め線の位置で前記物品に印刷を行う色付き弱め線形成工程と
から構成される切り裂き補助帯の形成方法。
【請求項６】
シート状の物品を一定方向に搬送する搬送路と、
前記搬送路の途中に設置され、外周に形成された切り込み歯を搬送中の前記物品に押し当てながら回転することにより、前記物品の基材層を部分的に脆弱化させて弱め線を連続的に形成するダイカットロールと、
前記搬送路とは別の位置で前記ダイカットロールの切り込み歯に接触し、前記ダイカットロールの回転に伴い、前記切り込み歯の表面にインキを転写するインキ供給部と
を備えたことを特徴とする色付き弱め線形成装置。
【発明の詳細な説明】
【技術分野】
【０００１】
本発明は、弱め線を形成することで物品の切り裂きを補助する切り裂き補助帯やその形成方法、このような切り裂き補助帯を形成するための色付き弱め線形成装置に関する。
【背景技術】
【０００２】
例えば従来から、包装材料の基材層にミシン目等の弱め線を形成することで包装袋の開封を容易にする先行技術が知られている（特許文献１参照）。このような先行技術の弱め線は、完全に貫通しない程度まで基材層に切り込みを入れることで形成されている。このため、弱め線の入った包装材料から包装袋を成形し、これに内容物を収容した状態でも密封性は損なわれない。さらに開封時には、弱め線が包材の切り裂きを容易にし、また、その破断線の進行を案内するため、狙った位置に開封口を形成することができる。
【特許文献１】実用新案登録公報第２５６６４４４号
【発明の開示】
【発明が解決しようとする課題】
【０００３】
しかしながら、この種の弱め線に共通していえる１つの問題点として、せっかく弱め線が形成されていても、その存在が一見して利用者の目に付きにくく、開封時に弱め線が有効に利用されないということが挙げられる。これは、弱め線そのものは極めて細幅なもの（０．１ｍｍ〜１ｍｍ程度）であるため、注意して観察しなければ利用者が弱め線を見つけることができないことに起因している。
【０００４】
このため上記の先行技術のように、包装袋の予定された開封ラインに沿って弱め線を形成していても、利用者が弱め線に気付かず、全く見当違いのところから包装袋を開封してしまった場合、弱め線自体が何ら用をなさないものとなってしまう。
【０００５】
そこで本発明は、包装袋等の物品がその切り裂かれる予定の位置で確実に切り裂かれることに期待できる技術の提供を課題としたものである。
【課題を解決するための手段】
【０００６】
本発明は、物品の切り裂き予定位置に色付きの弱め線を形成することで上記の課題を解決する。弱め線そのものは物品の基材層を脆弱化させるものであり、物品の切り裂きを補助するものとして本来的に機能するが、加えて本発明では、弱め線が物品の表面色に対して識別可能に着色されているため、一見して利用者の目に付きやすいという利点がある。
【０００７】
例えば、包装袋のような物品であれば、その開封時の切り裂き予定線に沿って本発明の切り裂き補助帯が形成されていれば、その存在を利用者が視覚的に認識しやすくなる。このため、利用者が間違って別の位置から開封しようとすることを防止することができ、常に予定された開封位置で包装袋が確実に開封されることに期待できる。また、利用者が全く見当違いの位置で無理やり包装袋を引き裂いてしまうことがないことから、強く引きちぎった際のはずみで内容物が飛び出てしまうようなことも未然に防がれる。
【０００８】
本発明の技術は、物品の切り裂きを補助することに加えて、物品の装飾性や意匠性を高める方向にも効果を発揮する。例えば、色付きの弱め線により図形や記号を構成すれば、物品の切り裂きを補助する本来の目的を達成するだけでなく、これに加えて物品の表面に装飾的な絵柄を印刷することができる。
【０００９】
さらに装飾的な図形や記号が何らかの観念を想起させるものであれば、切り裂き補助帯の存在そのものが利用者に対する感覚的なアピールとなる。例えば、はさみやカッターナイフといった図形を色付き弱め線で描くことにより、利用者に「この位置で切り裂くのだな」という観念を想起させることができる。この場合、切り裂き予定線の位置で正しく切り裂くという行為に利用者をスムーズに誘導することができ、利用者が見当違いの位置で切り裂いてしまうことを確実に防止することができる。
【００１０】
あるいは、包装袋の場合にその内容物をデザインした絵柄を色付き弱め線で描くことにより、利用者に包装袋の内容物を具体的にイメージさせることができる。その他、製造者の用いる商標を描いたり、特定の意義を有した文字列を描いたりすることで、それを目にする利用者に具体的な観念を想起させたり、何らかのメッセージを伝達したりすることが可能になる。
【００１１】
また本発明の技術は、物品が切り裂かれる前と切り裂かれた後の両方で効果を発揮し得る。すなわち、切り裂き補助帯は、物品が切り裂かれる前の段階では切り裂き予定位置を表し、また、その色付き弱め線により視認性や装飾性、意匠性を高めるといった効果を発揮する。さらに切り裂き補助帯は、物品が例えば２つに切り裂かれた後もどちらか一方（包装袋であれば袋本体部分）に残り、その着色による装飾性や意匠性を発揮したり、観念を想起させたりし続けることができる。この点、従来のミシン目は、物品が切り裂かれた後は単に用済みになるだけであったが、本発明の切り裂き補助帯は物品の切り裂き後もそこに留まり、依然として機能し続けることができる。
【００１２】
もちろん、装飾性を高めたり、利用者に対して何らかの観念を想起させたりすることが目的ならば、通常の印刷だけでも充分にまかなえるが、単なる印刷だけで物品の切り裂きを補助することはできないし、弱め線だけでは存在を大きくアピールすることができない。
【００１３】
これに対し、本発明では切り裂き補助帯が自ら存在をアピールしたり、何らかの意味やメッセージを伝えるとともに、予定された位置で物品を切り裂く行為に利用者をスムーズに誘導することができる。
【００１４】
切り裂き補助帯を形成するため、本発明は以下の方法を提供する。
すなわち、シート状の物品を一定方向に搬送する搬送工程と、この搬送工程を通じて物品を搬送しながらその外面に切り込み歯を押し当て、物品の基材層を部分的に脆弱化させた弱め線を連続的に形成する切り込み工程と、この切り込み工程の実行に伴って同時に進行し、切り込み歯の表面から基材層にインキを付着させることで弱め線の位置で物品に印刷を行う印刷工程とから構成される切り裂き補助帯の形成方法である。
【００１５】
あるいは切り裂き補助帯の形成方法は、シート状の物品を一定方向に搬送する搬送工程と、この搬送工程を通じて物品を搬送しながらその外面に切り込み歯を押し当て、物品の基材層を部分的に脆弱化させた弱め線を連続的に形成するとともに、この弱め線の形成に伴い、切り込み歯の表面から基材層にインキを付着させることで弱め線の位置で物品に印刷を行う色付き弱め線形成工程とから構成される態様であってもよい。
【００１６】
前者は切り込み歯を押し当てて弱め線を形成する行為と、切り込み歯を版（凸版）として印刷を行う行為とが並列に存在し、これらが同時に進行して色付き弱め線が形成されていくという側面を捉えたものである。一方、後者は切り込み歯による弱め線の形成と印刷とが渾然一体に行われることで色付き弱め線が形成されるという側面を捉えたものである。本発明の形成方法で用いられる切り込み歯は、切削加工具であるとともに印刷用の版でもあるため、弱め線の形成と印刷とを別々の行為として切り離して捉えることはできない。
【００１７】
いずれにしても、本発明の形成方法によれば、例えば先に弱め線の位置に印刷だけを施しておき、その上を切り込み歯でなぞるようにして弱め線を形成するといった複雑な工程が不要になる。
【００１８】
ただし結果物として切り裂き補助帯をみた場合、本発明の形成方法を用いていなくても、結果的に弱め線に色が付いていれば本発明の切り裂き補助帯を構成することはいうまでもない。極端にいえば、先に弱め線だけを形成し、その後から弱め線の部分に着色したものも本発明の切り裂き補助帯に含まれるし、逆に、印刷だけ先にしておき、その上から弱め線を形成して色付き状態にしたものも本発明の切り裂き補助帯に含まれることになる。
【００１９】
上記の形成方法を実行するため、本発明は以下の形成装置を提供する。
形成装置の構成は、シート状の物品を一定方向に搬送する搬送路と、この搬送路の途中に設置されたダイカットロールと、ダイカットロールにインキを供給するインキ供給部とを備えたものとなる。ダイカットロールは、その外周に形成された切り込み歯を搬送中の物品に押し当てながら回転することにより、物品の基材層を部分的に脆弱化させて弱め線を連続的に形成する。インキ供給部は、搬送路とは別の位置でダイカットロールの切り込み歯に接触し、その回転に伴い、切り込み歯の表面にインキを転写する。
【００２０】
上記の形成装置は、既存のダイカットロールに対してインキ供給部を付加するだけの簡単な構成により実現可能である。また、供給するインキの種類や色を変化させることで、例えば１つの物品に長手方向で色が変化する多色の弱め線を形成することもできるし、幅方向で色分けされた弱め線を形成することもできる。
【発明の効果】
【００２１】
本発明によれば、弱め線に任意の色を付けることで切り裂き補助帯の存在を目立たせたり、あるいは装飾性を高めたり、弱め線の具体的な形態から抽出される観念を明確に認識させたりすることができる。
【発明を実施するための最良の形態】
【００２２】
以下、本発明の実施形態について図面を参照しながら説明する。
図１は、切り裂き補助帯が付された包装袋２を示す平面図である。包装袋２は、例えば厚み方向に重ね合わせられた２枚の包材４の周縁部４ａ〜４ｄを互いにヒートシールすることで形成されている。これら周縁部４ａ〜４ｄにおけるシール部は、包装袋２の外形に合わせて包材４の周囲を四角く縁取りしている。また、図１の例では四方シールにより周縁部４ａ〜４ｄが全てヒートシールされているが、１枚の包材４を二つ折りにする場合、その折り曲げ部以外の３つの周縁部をヒートシール（三方シール）する態様であってもよい。
【００２３】
包材４は１枚あたり、例えば紙等の基材層の片面にアルミニウム蒸着層及びシーラント層を形成した積層構造を有している。アルミニウム蒸着層が形成された方の片面は、包装袋２の状態でその内側に位置付けられている。このようなアルミニウム蒸着層は、包装袋２に封入される内容物の品質を保持したり、ガスバリア性を高めたりするのに寄与する。
【００２４】
図１の包装袋２は、その長手方向（図１中の左右方向）の一側縁部（ここでは右側縁部）を切り裂いて開封することが予定されている。このため包装袋２には、切り裂かれる予定の一側縁部と隣り合う１つの周縁部４ｂに、例えばＶ字形状（又はＵ字形状）のノッチ６が形成されている。そして包装袋２には、切り裂かれる予定の一側縁部に切り裂き補助帯８が形成されている。
【００２５】
切り裂き補助帯８は、開封時に包装袋２が切り裂かれる予定の位置、つまり周縁部４ａよりも内側寄りの切り裂き予定位置を包装袋２の右側縁部に沿い、その一端に接する周縁部４ｂからこれに対向する周縁部４ｄまで、つまり、上縁から下縁までの間を縦断するようにして延びている。なお図１には示されていないが、包装袋２の他方の面（図１でみて裏側の面）にも、両面でみてちょうど重なり合う位置に切り裂き補助帯８が形成されている。
【００２６】
また図１に示される包装袋２の一側縁部には、切り裂き補助帯８からさらに内側寄り（中央寄り）の位置にインナーファスナ（ジッパー）１０が設けられている。インナーファスナ１０は、例えばその横断面（図１中Ａ−Ａ線に沿う断面）が凹形状及び凸形状をなす一組の樹脂製ベルトを組み合わせた封止部材から構成されている。このようなインナーファスナ１０は、切り裂き補助帯８の両端で対向する一対の周縁部４ｂ，４ｄの間を延びている。包装袋２はその開封後、インナーファスナ１０を閉じることで内容物を再封止することができ、さらにインナーファスナ１０を開くことで、内容物を容易に出し入れ可能となる。
【００２７】
〔第１絵柄〕
切り裂き補助帯８は、第１絵柄の例として「はさみ」の形状を象った色付き弱め線８ａを切り裂き予定方向に配列することで形成されている。図１では包装袋２の一方の面のみが示されているが、その反対側の面にも同様に、複数の色付き弱め線８ａが切り裂き予定方向に配列された切り裂き補助帯８が形成されている。この例では包装袋２の切り裂き予定方向が１つであることから、色付き弱め線８ａの配列方向（「はさみ」の向き）は包装袋２の両面で互いに合致している。
【００２８】
個々の色付き弱め線８ａは、いずれも包材４に厚み方向の途中まで切り込みを入れるとともに、この切り込みの内部にて包材４に着色剤を付する（例えばインキを用いて印刷する）ことで形成されている。包材４に切り込みを入れる加工そのものは「ハーフカット加工」と称されている加工技術であるが、本実施形態ではハーフカット加工に加えて、その切り込みの内部に着色加工（印刷）が施されている点に特徴を有する。
【００２９】
色付き弱め線８ａの色彩は、包材４の表面色に対して視覚的に識別性のあるものであればよく、種類は一色だけに限定されない。いずれにしても、切り裂き補助帯８に色付き弱め線８ａが形成されていることから、利用者から切り裂き補助帯８の存在が視認しやすくなるし、個々の色付き弱め線８ａの形態（ここでは「はさみ」の絵柄）が認識しやすくなる。
【００３０】
図２は、色付き弱め線形成装置を用いて包材４に切り裂き補助帯８を形成する過程を示した概略図である。以下、色付き弱め線形成装置の構成について説明する。
【００３１】
色付き弱め線形成装置は、包材４（原反）を一方向（ここでは水平方向）に搬送する搬送路を備えている。この搬送路に沿って搬送ローラ２０，２２が配列されており、包材４は搬送ローラ２０，２２の回転に伴って搬送される。
【００３２】
搬送路の途中の位置に圧胴２４及びこの圧胴２４に対向してダイカットロール２６が配置されている。ダイカットロール２６は周囲に切り込み歯２６ａが形成された加工治具であり、圧胴２４は切り込み歯２６ａの歯圧を受ける部材である。これら圧胴２４及びダイカットロール２６は包材４の搬送速度に同期した周速で互いに逆向きに回転している。
【００３３】
図２では誇張して示されているが、ダイカットロール２６の周面からみて切り込み歯２６ａの高さは１ｍｍに満たない。また、図２では一点鎖線を用いて簡略化して示されているが、実際の切り込み歯２６ａは、個々の色付き弱め線８ａの絵柄形状に対応した無端状の歯型を周方向に繰り返し配列することで形成されている。なお、色付き弱め線８ａの形態によっては特に切り込み歯２６ａを無端状にしなくてもよい。
【００３４】
色付き弱め線形成装置は、インキ供給部としてインキパン２８を有している。インキパン２８にはインキが充填されており、インキは図示しない補給経路から適宜補給されることで常に一定量が保持されている。この他に、インキ供給部としてスポンジ状の一次インキローラ３０及び二次インキローラ３２が配置されている。このうち一次インキローラ３０は、その外面をインキパン２８のインキに浸らせながら回転する。もう一つの二次インキローラ３２は、その外面を一次インキローラ２８及び切り込み歯２６ａに接触させながら回転する。
【００３５】
これら一次及び二次インキローラ３０，３２の回転に伴い、インキパン２８に充填されたインキは一次インキローラ３０に浸透してすくい上げられ、次に二次インキローラ３２に浸透する。そしてインキは、二次インキローラ３２からダイカットロール２６の切り込み歯２６ａの表面に一定の層圧で転写される。
【００３６】
このように、切り込み歯２６ａにインキが転写された状態のダイカットロール２６と圧胴２４との間に形成されるニップを包材４（原反）が通過すると、包材４にハーフカット加工が施されるとともに、そのハーフカット加工されたところにインキが同時に付着する。これにより、上記の色付き弱め線８ａが包材４（原反）に連続して形成される。そして、この連続した色付き弱め線８ａの配列により切り裂き補助帯８が形成されることになる。
【００３７】
図３は、図２中のＩＩ−ＩＩ線に沿う位置で色付き弱め線８ａが形成された後の包材４の縦断面を示した図である。色付き弱め線８ａは、切り込み歯２６ａの食い込みによって形成されたハーフカット部Ｈと、このハーフカット部Ｈの内部にて包材４の基材層４ａに付着された着色剤Ｎ（インキ）から構成されている。個々のハーフカット部Ｈの最大幅は１ｍｍに満たない大きさである。またハーフカット部Ｈの最大深さは、基材層４ａの層厚を超えない程度に抑えられている。図３中、基材層４ａよりも下層には上記のアルミニウム蒸着層４ｂ及びシーラント層４ｃがそれぞれ形成されている。なお、基材層４の表面には樹脂（例えばＰＥＴ）等によるコーティング層がさらに形成されていてもよい。
【００３８】
このように形成された色付き弱め線８ａを利用者の肉眼でみると、図１に示されているように包材４の表面に印刷された線図（絵柄）として認識される。なお、ここではハーフカット部Ｈの内面に沿って着色剤Ｎが２箇所に分かれて付着している例を示しているが、加工後の着色剤Ｎの形態はインキの粘度や分量等によって様々に異なる。したがって、場合によってはハーフカット部Ｈの最深部まで着色剤Ｎが付着していることもあり、図示の例に限られない。
【００３９】
いずれにしても、包装袋２となった状態で色付き弱め線８ａは切り裂き補助帯８となる。切り裂き補助帯８は、利用者が包装袋２を切り裂く際に包材４の破断を促進したり、破断線の進行する方向を誘導したりする役割を果たす。ただし、ハーフカット部Ｈで包材４は厚み方向に完全には貫通されておらず、包材４が引き裂かれるまでの間は依然としてその密封性やガスバリア性が保持されている。
【００４０】
図４は、包装袋２のうち、ノッチ６が形成された周縁部４ｂ及び切り裂き補助帯８が形成された部位の拡大図である。上記のように切り裂き補助帯８は、包装袋２がその開封過程で切り裂かれる予定の方向（図４中矢印Ｃの方向）に延びている。以下の説明において、この方向を「切り裂き予定方向」と呼称する。この切り裂き予定方向は、包装体２の開封過程で包材４の破断が進行する予定の方向（破断線の伸張予定方向）に合致している。
【００４１】
図４に示されているように、個々の色付き弱め線８ａには、切り裂き予定方向にテーパー形状（又は先細形状）となるテーパー部８０ａが一部の箇所（「はさみ」の柄の部分に相当する箇所）に形成されている。このテーパー部８０ａは、包装袋２の開封時に包材４の破断を促進するとともに、その破断線の進行方向を案内する役割を果たす。具体的には、ノッチ６の先端から包材４の破断が進行していく過程で、その破断線はテーパー部８０ａに案内されてその中央に寄せられる。この後、破断線は切り裂き予定方向でみてテーパー部８０ａの先端位置から進行し、次の色付き弱め線８ａでも同じくテーパー部８０ａに案内される。この結果、包材４の破断は切り裂き補助帯８から逸れることなく、その内側に予定された切り裂き予定線（参照符号Ｌ）に沿って破断が進行していくことになる。
【００４２】
図５は、切り裂き補助帯８による包装袋２の切り裂き補助機能（開封補助機能）を示した斜視図である。例えば、利用者が片方の手で包装袋２の一側縁部を手前側に引きながら包装袋２を開封した場合を想定する。この場合、ノッチ６から先で包装袋２は切り裂き補助帯８に沿ってほぼ直線状に切り裂かれている。このため、上記のように包装袋２にインナーファスナ１０が設けられている場合、開封時に包材４の破断線が斜め方向にずれていくことでインナーファスナ１０のところまで包材４が切り裂かれてしまうようなことがなく、その再封止による密封機能を確実なものにすることができる。
【００４３】
上記のように本実施形態では、切り裂き補助帯８が色付き弱め線８ａにより構成されているため、単純な無着色のハーフカット加工に比較して目立ちやすく、利用者が切り裂き予定位置を認識しやすくなる。このため、利用者が切り裂き補助帯８の補助機能を利用して開封することが容易になるし、間違って切り裂き補助帯８とは別の位置で開封してしまうミスが未然に防止される。また、色付き弱め線８ａが「はさみ」等の絵柄を象ったものであることから、利用者は「ここから開封する」という意義を理解しやすくなるし、絵柄により切り裂き補助帯８による装飾性が高まり、それだけ包装袋２の美感を向上することができる。
【００４４】
この点について、包材４に予め「はさみ」の絵柄だけを印刷しておき、この印刷済みの包材４にハーフカット加工を施すことで、印刷された絵柄の位置に合わせて弱め線を形成していく方法も考えられなくはない。しかしながら、このように印刷と弱め線の形成を別々の工程で行う方法では、印刷された絵柄の位置にぴったり合わせて弱め線を形成するための機械調整が難しくなるし、加工を続けるうちに両者の位置が僅かにずれていくこともあり得る。
【００４５】
これに対し、本実施形態では印刷と弱め線の形成とを同時に行っているため、もとから両者の位置を合わせる必要がないばかりか、印刷位置と弱め線の位置がずれることはあり得ない。したがって、本実施形態では無垢の包材４（原反）に対して１回の加工だけで印刷と弱め線の形成を一体として行うことができ、機械調整の手間が必要ない分、作業効率が高まる。
【００４６】
また上述した色付き弱め線形成装置には、その製造管理上、以下の利点がある。すなわち、色付き弱め線形成装置は、包材４（原反）に対してダイカットロール２６を用いてハーフカット加工と印刷とを同時に行う機能を有するため、その切り込み歯２６ａが部分的に欠けてしまった場合、その欠けた部分においてはハーフカット不良とともに印刷の欠けが生じることになる。この場合、加工後の包材４（原反）に印刷の欠けた部分が見つかれば、それによって切り込み歯２６ａに欠けた部分があることを容易に発見することができるし、加工後の包材４（原反）に弱め線の形成不良があることも外観から容易に発見することができる。
【００４７】
この点、単純なハーフカット加工だけを行う装置では、加工後の包材４（原反）の外観だけから切り込み歯の欠けを発見することは困難であるが、本実施形態では、包材４（原反）の外観から容易に欠損や不良を発見することができる点で製造管理上のメリットは大きい。
【００４８】
以上が第１絵柄を用いた切り裂き補助帯８についての説明であるが、本実施形態の切り裂き補助帯８にはこの他の絵柄や文字例、記号例等を用いることができる。以下、各例について図面を参照しながら説明する。
【００４９】
〔第２絵柄〕
図６は、第２絵柄を用いた切り裂き補助帯が付された包装袋２を示す平面図である。この第２絵柄では、例として「金魚」を象った色付き弱め線８ｂの配列により切り裂き補助帯８が形成されている。第２絵柄の色付き弱め線８ｂでは、「金魚」の「尾びれ」に相当する部分と「頭」に相当する部分にそれぞれテーパー部８０ｂが形成されている。これにより、ノッチ６の部分から切り裂き予定方向Ｃへ包装袋２が切り裂かれていくと、包材４の破断がテーパー部８０ｂに案内されながら切り裂き予定線Ｌに沿って進行するため、包装袋２が直線状に開封されることになる。
【００５０】
第２絵柄を用いた切り裂き補助帯８についても、利用者が「金魚」を象った色付き弱め線８ｂを視認しやすくなるため、包装袋２の切り裂き予定位置を認識しやすくなる。また、第１絵柄と同様に、切り裂き補助帯８による装飾性が高まり、包装袋２の美感を向上することができる。
【００５１】
なお本実施形態では、上述した第１，第２絵柄の他にも各種の絵柄・図形等を適用して切り裂き補助帯を形成することができる。このように、色付き弱め線を絵柄や図形により形成することで装飾性を高めるほか、そこから利用者に何らかの観念や意味合いを想起させることができる。
【００５２】
〔文字列〕
次に、色付き弱め線で文字列を構成した例について説明する。
図７は、色付き弱め線で構成された文字列を有する切り裂き補助帯が付された包装袋２を示す平面図である。この例では、特定の意味合いを有する文字列として、「まっすぐきれる」の文言を象った色付き弱め線８ｃの配列により切り裂き補助帯８が形成されている。なお、色付き弱め線８ｃの周囲の縁取り線Ｐ１や、矢印形状の案内線Ｐ２は、いずれも包材４に印刷されたものであり、これらはハーフカット部ではない。また、これら縁取り線Ｐ１や案内線Ｐ２は特に設けなくてもよい。
【００５３】
このような文字列を構成する色付き弱め線８ｃでは、「ま」、「す」、「ぐ」、「き」、「れ」、「る」の各文字の一部を利用してテーパー部８０ｃが形成されている。これにより、ノッチ６の部分から切り裂き予定方向Ｃへ包装袋２が切り裂かれていくと、包材４の破断がテーパー部８０ｃに案内されながら切り裂き予定線Ｌに沿って進行するため、包装袋２が直線状に開封されることになる。
【００５４】
このような着色文字列を用いた切り裂き補助帯８についても、利用者が「まっすぐきれる」の文字列を象った色付き弱め線８ｃを視認しやすくなるため、包装袋２の切り裂き予定位置を認識しやすくなる。また、色付き弱め線８ｃそのものが特定の意味合いを有する文字列を構成していることから、利用者に対して「この包装袋が直線的に開封しやすい」といった意味内容のメッセージを直接的に伝えることができる。また、文字列についても絵柄の場合と同様に、切り裂き補助帯８による装飾性が高まり、包装袋２の美感を向上することができる。
【００５５】
なお本実施形態では、上述した文字列の他にも何らかの意味内容を有する文字列を適用して切り裂き補助帯を形成することができる。例えば、包装袋２に収容される内容物の産地や品質、原材料、効能、用途、数量、性質等を表す各種の文言を文字列として採用することにより、利用者に対して直接的なメッセージを伝達したり、内容物に対する理解度を高めたり、興味を引きつけたりすることができる。また、文字列を構成する言語は一カ国語に限らない。
【００５６】
〔装飾文字列・装飾記号〕
次に、色付き弱め線で装飾的な文字列（又は装飾的な記号）を構成した例について説明する。
【００５７】
図８は、装飾文字列（装飾記号）を用いた切り裂き補助帯が付された包装袋２を示す平面図である。この例では、アルファベットを太字の斜体にして装飾した文字列が用いられている。具体的には、「ＣＵＴ」の単語を象った２種類の色付き弱め線８ｄ，８ｅの配列により、図８でみて上下２本の切り裂き補助帯８が形成されている。これら２種類の色付き弱め線８ｄ，８ｅは、「ＣＵＴ」の各文字を斜体としてみたときの傾斜方向が異なっている。
【００５８】
図８の例では、包装袋２を左右どちらの方向に切り裂いても開封することができる。このため包装袋２には、両側で対になる周縁部４ｂ，４ｄにそれぞれノッチ６が形成されている。そして、図８でみて右側のノッチ６からは左方向に切り裂き予定線Ｌ１が延びており、これに対する左側のノッチ６からは右方向に切り裂き予定線Ｌ２が延びている。これら切り裂き予定線Ｌ１，Ｌ２は同一線上になく、互いに平行で上下に離れている。
【００５９】
このうち、図８でみて左向きに延びる切り裂き予定線Ｌ１に沿って形成された切り裂き補助帯８は、その上段位置に右傾斜した文字列からなる色付き弱め線８ｄを有し、その下段位置に左傾斜した文字列からなる色付き弱め線８ｅを有している。この場合、上下に並んだ「Ｃ」と「Ｃ」、「Ｕ」と「Ｕ」、「Ｔ」と「Ｔ」の各傾斜文字の間にテーパー部（参照符号なし）が形成されている。この場合のテーパー部は先端が閉じていないが、左記の例と同様に、開封時の包材４の破断線はテーパー部の中心に寄せられることになる。
【００６０】
また、図８でみて右向きに延びる切り裂き予定線Ｌ２に沿って形成された切り裂き補助帯８は、その上段位置に左傾斜した文字列からなる色付き弱め線８ｅを有し、その下段位置に右傾斜した文字列からなる色付き弱め線８ｄを有している。この場合も同様に、上下に並んだ「Ｃ」と「Ｃ」、「Ｕ」と「Ｕ」、「Ｔ」と「Ｔ」の各傾斜文字の間にテーパー部（参照符号なし）が形成されている。
【００６１】
これにより、図８でみて右側のノッチ６の部分から左方向へ包装袋２が切り裂かれていくと、包材４の破断が上段の色付き弱め線８ｄと下段の色付き弱め線８ｅとの間のテーパー部に案内されながら切り裂き予定線Ｌ１に沿って進行するため、包装袋２が直線状に開封されることになる。
【００６２】
反対に、図８でみて左側のノッチ６の部分から右方向へ包装袋２が切り裂かれていくと、包材４の破断が上段の色付き弱め線８ｅと下段の色付き弱め線８ｄとの間のテーパー部に案内されながら切り裂き予定線Ｌ１に沿って進行するため、同じく包装袋２が直線状に開封されることになる。
【００６３】
なお、ここでは上下に「Ｃ」と「Ｃ」、「Ｕ」と「Ｕ」、「Ｔ」と「Ｔ」の各傾斜文字が対になって並んでいる例を挙げているが、例えば「Ｃ」と「Ｔ」のように違う文字が上下に並んでいてもよい。また、ここでは各切り裂き予定線Ｌ１，Ｌ２に沿う方向でみて、色付き弱め線８ｄ，８ｅ同士の間にスペースが空けられているが、色付き弱め線８ｄ，８ｅ同士が隙間なく配列されていてもよい。
【００６４】
このような装飾文字列を用いた切り裂き補助帯８についても、利用者が「ＣＵＴ」のような装飾的な文字列を象った色付き弱め線８ｄ，８ｅを視認しやすくなるため、包装袋２の切り裂き予定位置を認識しやすくなる。また、色付き弱め線８ｄ，８ｅそのものが特定の意味合いを有する文字列から構成されていることから、利用者に対して「ＣＵＴ＝開封する」といった意味内容のメッセージをわかりやすく伝えることができる。また、装飾文字列についても絵柄、文字列の場合と同様に切り裂き補助帯８による装飾性が高まり、包装袋２の美感を向上することができる。
【００６５】
なお、ここでは「ＣＵＴ」の装飾文字列を例示しているが、この他にも何らかの意味内容を有する装飾文字列を適用して切り裂き補助帯を形成することができる。このように、色付き弱め線で何らかの意味内容を持つ装飾文字列を構成することにより、利用者に対してわかりやすいメッセージを伝達することができる。
【００６６】
本発明は上述した実施形態に制約されることなく、種々に変形して実施することが可能である。例えば、切り裂き補助帯８は１つの包装袋２について複数の離れた箇所に形成されていてもよい。
【００６７】
また、１つの切り裂き補助帯の中で色付き弱め線が多色に色分けされていていてもよいし、グラデーションをもって変化していてもよい。あるいは、切り裂き補助帯の幅方向で色付き弱め線が多色に色分けされていてもよいし、グラデーションをもって変化していてもよい。
【００６８】
あるいは、１つの切り裂き補助帯の中で色付き弱め線と色なしの弱め線（ハーフカット加工のみ）とが混在していてもよいし、比較的少ない１箇所ないし数箇所だけ色付き弱め線が存在し、その他は全て色なしの弱め線で構成されていてもよい。
【００６９】
また、本発明の切り裂き補助帯は包装袋２の用途に限定されず、例えば封筒を開封する際の切り裂き補助帯に適用してもよいし、チケット等の半券を切り離す際の切り裂き補助帯に適用してもよい。また本発明は、箱状体の物品を開封する際の切り裂き補助帯に適用することもできる。
【００７０】
一実施形態では基材層の他にも複数の層構成を有する包材を例示しているが、本発明は基材層のみ（単層構成）の物品にも適用することができる。また、色付き弱め線（又は色なしの弱め線）は切り裂き予定線に沿って全域に連続して形成されている必要はなく、部分的又は断続的に形成されている態様であってもよい。
【００７１】
一実施形態では、ハーフカット加工により基材層を貫通することなく色付き弱め線を形成する例を挙げているが、特に密封性を要求されない場合は色付き弱め線が基材層を貫通していてもよい。この場合であっても、基材層にはインキ等の着色剤が付着することで、その存在を目立たせることができる。
【００７２】
その他、一実施形態で挙げた色付き弱め線の形態はあくまで例示であり、これら以外に任意の形態や色を用いることが可能である。また、色付き弱め線形成装置の具体的な構成は、種々に変形して実施可能であることはいうまでもない。
【図面の簡単な説明】
【００７３】
【図１】切り裂き補助帯（第１絵柄）が付された包装袋を示す平面図である。
【図２】色付き弱め線形成装置を用いて包材に切り裂き補助帯を形成する過程を示した概略図である。
【図３】図２中のＩＩ−ＩＩ線に沿う位置で色付き弱め線が形成された後の包材の縦断面を示した図である。
【図４】包装袋のうち、ノッチが形成された周縁部及び切り裂き補助帯が形成された部位の拡大図である。
【図５】切り裂き補助帯による包装袋の切り裂き補助機能（開封補助機能）を示した斜視図である。
【図６】第２絵柄を用いた切り裂き補助帯が付された包装袋を示す平面図である。
【図７】文字列を用いた切り裂き補助帯が付された包装袋を示す平面図である。
【図８】装飾文字列（装飾記号）を用いた切り裂き補助帯が付された包装袋を示す平面図である。
【符号の説明】
【００７４】
２    包装袋
４    包材
４ａ，４ｂ，４ｃ，４ｄ  周縁部
６    ノッチ
８    切り裂き補助帯
８ａ，８ｂ，８ｃ，８ｄ，８ｅ  色付き弱め線
２０    搬送ローラ
２２    搬送ローラ
２６    ダイカットロール
２６ａ  切り込み歯
２８    インキパン
３０    一次インキローラ
３２    二次インキローラ
８０ａ，８０ｂ，８０ｃ  テーパー部
Ｈ    切り込み部
Ｎ    着色剤（インキ）
Ｌ，Ｌ１，Ｌ２  切り裂き予定線
【図１】
2008018970.tif 000003
【図２】
2008018970.tif 000004
【図３】
2008018970.tif 000005
【図４】
2008018970.tif 000006
【図５】
2008018970.tif 000007
【図６】
2008018970.tif 000008
【図７】
2008018970.tif 000009
【図８】
2008018970.tif 000010